(57)【要約】      （修正有）【課題】三味線の天神を保護すると同時に、楽器本来のプロポーションを生かすことが出来る保護部材を提供する。【解決手段】保護部材１０は緩衝性を有する素材からなり、ヘッド部を把持する一対の把持部１１が形成され、一方の把持部１１と他方の把持部１１との間に跨設部１２が形成されており、装着前における一方の把持部１１と他方の把持部１１の間に形成される角度θ１は、装着後における一方の把持部１１と他方の把持部１１の間に形成される角度θ２よりも小さい。【選択図】図１
0003218952.tif 000002
【実用新案登録請求の範囲】
【請求項１】
弦楽器のヘッド部の少なくとも一部を保護する保護部材であって、
前記保護部材は緩衝性を有する素材からなり、
前記ヘッド部を把持する一対の把持部１１が形成され、
前記一方の把持部１１と前記他方の把持部１１との間に跨設部１２が形成されており、
装着前における前記一方の把持部１１と前記他方の把持部１１の間に形成される角度θ１は、
装着後における前記一方の把持部１１と前記他方の把持部１１の間に形成される角度θ２よりも
小さいことを特徴とする保護部材。
【請求項２】
弦楽器のヘッド部の少なくとも一部を保護する保護部材であって、
前記保護部材は緩衝性を有する素材からなり、
前記ヘッド部を把持する一対の把持部１１が形成され、
前記一方の把持部１１と前記他方の把持部１１との間に跨設部１２が形成されており、
装着前における前記一方の把持部１１と前記他方の把持部１１の間の距離の大きさL１は、
装着後における前記一方の把持部１１と前記他方の把持部１１の間の距離の大きさL２よりも
小さいことを特徴とする保護部材。
【請求項３】
前記跨設部１２の内壁はR曲面形状または略フラット形状であることを
特徴とする請求項1または２に記載の保護部材。
【請求項４】
前記把持部１１の近傍に少なくとも１つの係合部１３を具備していることを
特徴とする請求項1乃至３のいずれか１つに記載の保護部材。
【請求項５】
請求項1乃至4のいずれか１つに記載の保護部材が取り付けられた三味線。
【考案の詳細な説明】
【技術分野】
【０００１】
弦楽器ヘッド部の保護部材に関する。
【考案の概要】
【考案が解決しようとする課題】
【０００２】
従来の三味線の天神２０保護部材は、天神のほぼ全周を覆う為、楽器本来のプロポーションを充分に生かすことが出来ず、意匠性を損ねていた。
【課題を解決するための手段】
【０００３】
上記の目的を達成する為、本考案は、三味線の天神（三味線の端部）の少なくとも一部を保護する保護部材であって、前記保護部材は緩衝性を有する素材からなり、前記ヘッド部を把持する一対の把持部１１が形成され、前記一方の把持部１１と前記他方の把持部１１との間に跨設部１２が形成されており、装着前における前記一方の把持部１１と前記他方の把持部１１の間に形成される角度θ１は、装着後における前記一方の把持部１１と前記他方の把持部１１の間に形成される角度θ２よりも小さいことを特徴とする保護部材を提供する。
【０００４】
又は、三味線の天神（三味線の端部）の少なくとも一部を保護する保護部材であって、前記保護部材は緩衝性を有する素材からなり、前記ヘッド部を把持する一対の把持部１１が形成され、前記一方の把持部１１と前記他方の把持部１１との間に跨設部１２が形成されており、装着前における前記一方の把持部１１と前記他方の把持部１１の間の距離の大きさL１は、装着後における前記一方の把持部１１と前記他方の把持部１１の間の距離の大きさL２よりも小さいことを特徴とする保護部材を提供する。
【０００５】
前記跨設部１２の内壁はR曲面形状または略フラット形状であることが好ましい。
【０００６】
前記把持部１１の近傍に少なくとも１つの係合部１３を具備していることが好ましい。
【０００７】
さらに、前記保護部材が取り付けられてある三味線を提供することも可能である。
【考案の効果】
【０００８】
本考案の保護部材は、従来よりも三味線の天神２０を隠してしまう領域を小さくさせることが可能である為、三味線の天神２０を保護しつつ、楽器本来のプロポーションを生かすことが出来る。
【図面の簡単な説明】
【０００９】
【図１】保護部材１０の斜視図である。
【図２】保護部材１０を三味線のヘッド部に装着前（Ａ）と装着後（Ｂ）を現している。
【図３】装着前の保護部材１０の拡大図である。
【図４】保護部材１０Ａをギターのヘッド部に装着前（Ａ）と装着後（Ｂ）を現している。
【図５】保護部材１０Ｂを三味線のヘッド部に装着させた後の（Ａ）正面図と（Ｂ）側面図である。
【図６】保護部材１０Ｃを三味線のヘッド部に装着させた後の（Ａ）正面図と（Ｂ）側面図である。
【図７】（Ａ）保護部材１０Ｄの斜視図と（Ｂ）三味線の天神に装着した後の断面図である。
【図８】保護部材１０Ｅを三味線の天神に装着する前（Ａ）と装着した後（Ｂ）を現している。
【考案を実施するための形態】
【００１０】
図１で示すように、保護部材１０は、略Ｃ字形状の面を伸延させた立体形状であり、弾性収縮する素材から出来ている。三味線の天神２０を把持することの出来る把持部１１が一対（２箇所）形成されている。ここで言う把持とは、三味線の天神２０を弾性により加圧している状態のことを指す。
【００１１】
一方の把持部１１と他方の把持部１１との間に跨設部１２が形成されている。保護部材１０の幅方向の大きさは、幅が１ｃｍ程度でも対応可能である。勿論、任意の大きさに対応することが出来る。
【００１２】
図２（Ａ）は、保護部材１０を三味線の天神２０に装着する前の状態を現しており、図２（Ｂ）は、保護部材１０を三味線の天神２０に装着した後の状態を現しており、図３は、装着前の保護部材１０の拡大図である。
【００１３】
図示しているように、装着前の保護部材１０において、一方の把持部１１と他方の把持部１１の間に角度θ１が形成されており、装着後の保護部材１０において、一方の把持部１１と他方の把持部１１の間に角度θ２が形成されている。換言すれば、一方の把持部１１と他方の把持部１１の開きの角度がθである。
【００１４】
装着する際に、保護部材１０の把持部１１が弾性伸縮する力によって、開きの角度が大きくなり、角度θ２は、角度θ１よりも大きくなる。式で表すと、θ１＜θ２となる。
【００１５】
また、跨設部１２の内壁には、Ｒ曲面が形成されている。これにより、三味線の天神２０の先端と、保護部材１０がよりフィットしやすくなり、裂けにくくなる。
【００１６】
図４（Ａ）は、保護部材１０Ａにおいて装着する前の状態のイメージを現しており、図４（Ｂ）は、保護部材１０Ａにおいて装着した後の状態のイメージを現している。図示しているように、保護部材１０Ａは、略コ字形状の面を伸延させた立体形状である。
【００１７】
装着前の保護部材１０Ａにおいて、一方の把持部１１と他方の把持部１１の間での垂直方向の距離の大きさがＬ１となり、装着後の保護部材１０Ａにおいて、一方の把持部１１と他方の把持部１１の間での垂直方向の距離の大きさがＬ２となる。換言すれば、一方の把持部１１と他方の把持部１１との間の最短の長さがＬである。
【００１８】
装着する際に、保護部材１０Ａの把持部１１が弾性伸縮する力によって、一方の把持部１１と他方の把持部１１との間の最短の長さが大きくなり、長さＬ２は、長さＬ１よりも大きくなる。式で表すと、Ｌ１＜Ｌ２となる。
【００１９】
また、跨設部１２の内壁は、略フラット形状になっている。これにより、三味線の天神２０の先端と、保護部材１０Ａがよりフィットしやすくなり、裂けにくくなる。
【００２０】
図５（Ａ）は、保護部材１０Ｂを三味線の天神２０に装着させた後の正面図であり、図５（Ｂ）は、保護部材１０Ｂを三味線の天神２０に装着させた後の側面図である。
図示しているように、保護部材１０Ｂは、略コ字形状の面を伸延させた立体形状である。図４で示した保護部材１０Ａと同様の機能であるが、三味線の天神２０を保護することも可能である。保護部材１０Ｂの幅が少ない為、三味線の天神２０の意匠性を、ほとんど損ねることがなく、楽器本来のプロポーション（意匠性）を最大限活用させることが可能である。
【００２１】
図６（Ａ）は、保護部材１０Ｃを三味線の天神２０に装着させた後の正面図であり、図６（Ｂ）は、保護部材１０Ｃを三味線の天神２０に装着させた後の側面図である。
図示しているように、保護部材１０Ｃは、三味線の天神２０の幅方向よりも広い長さを有しており、三味線の天神２０の左右を覆うことが出来る。
【００２２】
装着する前と装着した後では、一方の把持部１１と他方の把持部１１の間での垂直方向の距離の大きさと、一方の把持部１１と他方の把持部１１の間の角度が共に、Ｌ１＜Ｌ２となり、θ１＜θ２となる。
【００２３】
図７（Ａ）は、保護部材１０Ｄの斜視図であり、図７（Ｂ）は、保護部材１０Ｄを三味線の天神２０に装着した後の断面図である。
図７（Ａ）で図示しているように、保護部材１０Ｄは、中心に貫通孔を有する略円柱の形状であり、保護部材１０Ｄの周壁に一直線に切れ込みが入っている。この切れ込みは、中央の貫通孔まで到達している。このような形状であれば、三味線の天神２０に装着させる前における、一方の把持部１１と他方の把持部１１の開きの角度θは、０度に近い角度である。
【００２４】
また、図７（Ｂ）で図示しているように、保護部材１０Ｄを三味線の天神２０に挟み込むと、一方の把持部１１と他方の把持部１１との間に圧力がかかり、保護部材１０Ｄは、三味線の天神２０から外れにくくなる。その為、安定的に、保護部材１０Ｄと三味線の天神２０を接着させることが可能である。
【００２５】
保護部材１０Ｄの長さ方向の大きさは、広くても良く、狭くても良く、任意の大きさを用いることが可能である。
【００２６】
図８（Ａ）は、保護部材１０Ｅを三味線の天神２０に装着する前の断面図であり、図８（Ｂ）は、保護部材１０Ｅを三味線の天神２０に装着する前の断面図である。
図示しているように、保護部材１０Ｅの把持部１１の近傍に係合部１３が形成されている。この係合部１３は突起状の凸部になっている。
【００２７】
一方、三味線の天神２０には、係合部１３と係合すること出来る被係合部２１が形成されており、図示した例では、被係合部２１は貫通孔になっている。被係合部２１はこの形状に限らず、凹部または溝部が形成されていれば、同様の機能を有することが出来る。勿論、係合部１３と被係合部２１は自在に係合することが可能である。
【００２８】
この考案は、三味線の天神２０以外にも、三味線の胴や棹、または糸巻きの端部を保護することも可能である。図示していないが、三味線の胴の角部を保護することで、演奏者の演奏する腕（一般的には右腕）と三味線の胴が接触した際の衝撃を和らげる役割をすることも出来る。
【００２９】
保護部材１０を三味線の天神２０に取り付けるには、保護部材１０を天神に挟み込んだ後、ボンドやテープによって粘着させて取り付けても良く、鋲などで押圧させて取り付けても良い。
【符号の説明】
【００３０】
１０…保護部材
１１…把持部
１２…跨設部
１３…係合部
２０…三味線の天神
２１…被係合部
θ…角度
Ｌ…長さ
【図１】
0003218952.tif 000003
【図２】
0003218952.tif 000004
【図３】
0003218952.tif 000005
【図４】
0003218952.tif 000006
【図５】
0003218952.tif 000007
【図６】
0003218952.tif 000008
【図７】
0003218952.tif 000009
【図８】
0003218952.tif 000010